(57)【特許請求の範囲】
【請求項１】
無線通信システムにおいてセル獲得を容易にするための方法であって、
基地局により、共通のセルサーチ帯域幅を介して１以上の同期コードを送信することと、なお、前記共通のセルサーチ帯域幅は複数の利用可能なシステム帯域幅に対して同一の帯域幅である；
前記基地局により、参照信号の中央部分を生成することと、なお、前記中央部分は前記共通のセルサーチ帯域幅に及び、前記参照信号の中央部分は前記複数の利用可能なシステム帯域幅に依存しない；
前記基地局により、前記参照信号が前記複数の利用可能なシステム帯域幅から選択されたシステム帯域幅に及ぶように、生成された前記参照信号の中央部分を拡張することによって前記参照信号を生成することと、
前記基地局により、前記参照信号を前記選択されたシステム帯域幅を介して送信することと；
を備えた方法。
【請求項２】
前記１以上の同期コードは前記選択されたシステム帯域幅に関する情報を供給する、請求項１に記載の方法。
【請求項３】
前記選択されたシステム帯域幅に関する情報は、前記選択されたシステム帯域幅と所定の帯域幅閾値との比較を備える、請求項１に記載の方法。
【請求項４】
前記選択されたシステム帯域幅に関する情報は、前記選択されたシステム帯域幅が前記所定の帯域幅閾値より大きいかまたは等しいことを示す、請求項３に記載の方法。
【請求項５】
前記選択されたシステム帯域幅に関する前記情報は、前記選択されたシステム帯域幅が前記所定の帯域幅閾値未満であることを示し、前記生成された中央部分は前記共通のセルサーチ帯域幅に及ぶ、請求項３に記載の方法。
【請求項６】
前記参照信号の中央部分を生成することは時間及び周波数の二次元ブロックを生成することを備え、生成された前記中央部分を拡張することは前記参照信号が前記選択されたシステム帯域幅に及ぶように時間及び周波数の拡張を生成することを備える、請求項１に記載の方法。
【請求項７】
前記共通のセルサーチ帯域幅は１．０８メガヘルツの帯域幅に及ぶ、請求項１に記載の方法。
【請求項８】
前記共通のセルサーチ帯域幅は１．２５メガヘルツの帯域幅に及ぶ、請求項１に記載の方法。
【請求項９】
前記１以上の同期コードは初期同期コード及び第２同期コードのうちの少なくとも１つを備える、請求項１に記載の方法。
【請求項１０】
前記１以上の同期コードは前記基地局に関連付けられたセルＩＤまたはセルグループＩＤのうちの少なくとも１つを運ぶ、請求項１に記載の方法。
【請求項１１】
共通のセルサーチ帯域幅及び複数の利用可能なシステム帯域幅に関するデータを格納するメモリと、なお、前記共通のセルサーチ帯域幅は複数の利用可能なシステム帯域幅に対して同一の帯域幅である；
前記共通のセルサーチ帯域幅を介して１以上の同期コードを送信し、前記共通のセルサーチ帯域幅の中央に参照信号のための中央部分を生成し、なお、前記参照信号の中央部分は前記複数の利用可能なシステム帯域幅に依存しない、前記参照信号が前記複数の利用可能なシステム帯域幅から選択されたシステム帯域幅に及ぶように、生成された前記参照信号の中央部分を拡張することによって前記参照信号を生成し、前記参照信号を前記選択されたシステム帯域幅を介して送信する、ように構成されたプロセッサと；
を備えた無線通信装置。
【請求項１２】
前記プロセッサは、時間および周波数の二次元ブロックを生成することによって前記参照信号の中央部分を生成し、前記参照信号が前記選択されたシステム帯域幅に及ぶように前記時間および周波数の拡張を生成することによって前記生成された中央部分の拡張を提供する、請求項１１に記載の無線通信装置。
【請求項１３】
前記１以上の同期コードは初期同期コード及び第２同期コードのうちの少なくとも１つを備える、請求項１１に記載の無線通信装置。
【請求項１４】
前記１以上の同期コードは、前記１以上の同期コードを送信する基地局に関連付けられたセルＩＤまたはセルグループＩＤのうちの少なくとも１つを運ぶ、請求項１１に記載の無線通信装置。
【請求項１５】
前記１以上の同期コードは前記選択されたシステム帯域幅の関する情報を供給する、請求項１１に記載の無線通信装置。
【請求項１６】
前記１以上の同期コードは前記選択されたシステム帯域幅が帯域幅閾値より大きいかまたは等しいことを示し、前記中央部分は前記帯域幅閾値に対応する周波数帯に及ぶ、請求項１１に記載の無線通信装置。
【請求項１７】
前記１以上の同期コードは前記選択されたシステム帯域幅が帯域幅閾値未満であることを示す、請求項１１に記載の無線通信装置。
【請求項１８】
無線通信システムにおいてセル獲得を容易にする装置であって、
共通のセルサーチ帯域幅で１以上の同期コードを送信する手段と、なお、前記共通のセルサーチ帯域幅は複数の利用可能なシステム帯域幅に対して同一の帯域幅である；
前記共通のセルサーチ帯域幅に及ぶ参照信号の中央部分を生成し、なお、前記参照信号の中央部分は前記複数の利用可能なシステム帯域幅に依存しない、前記参照信号が前記複数の利用可能なシステム帯域幅から選択されたシステム帯域幅に及ぶように、前記中央部分に拡張を施して前記参照信号を生成することにより、端末に送信する前記参照信号を生成する手段と；
前記参照信号を前記選択されたシステム帯域幅を介して前記端末に送信する手段と；
を備えた装置。
【請求項１９】
無線通信システムにおいてセル獲得を容易にするためのコンピュータ可読記憶媒体であって、
コンピュータに、基地局によって共通のセルサーチ帯域幅を介して１以上の同期コードを送信させるためのコードと、なお、前記共通のセルサーチ帯域幅は複数の利用可能なシステム帯域幅に対して同一の帯域幅である；
前記コンピュータに、前記基地局によって参照信号を生成させるためのコードと、なお、前記参照信号は前記複数の利用可能なシステム帯域幅のうちから選択されたシステム帯域幅に及び、前記共通のセルサーチ帯域幅に及ぶ中央部分を有し、前記参照信号の中央部分は前記複数の利用可能なシステム帯域幅に依存せず、前記参照信号は前記中央部分に拡張を施すことによって生成され、前記中央部分及び前記施された拡張は前記選択されたシステム帯域幅に及ぶ；
前記コンピュータに、前記基地局によって前記参照信号を前記選択されたシステム帯域幅を介して送信させるためのコードと；
を備えたコンピュータ可読記憶媒体。
【請求項２０】
セル獲得を容易にするためのコンピュータ実行可能な命令を実行する集積回路であって、
前記命令は、
基地局により、共通のセルサーチ帯域幅を介して１以上の同期コードを送信することと、なお、前記共通のセルサーチ帯域幅は複数の利用可能なシステム帯域幅に対して同一の帯域幅である；
前記共通のセルサーチ帯域幅に及ぶ参照信号の中央部分を構成することと、なお、前記参照信号の中央部分は、前記複数の利用可能なシステム帯域幅に依存しない；
前記参照信号が前記複数の利用可能なシステム帯域幅から選択されたシステム帯域幅に及ぶように、前記中央部分を拡張することによって前記参照信号を生成することと；
前記基地局により、前記参照信号を前記選択されたシステム帯域幅を介して送信することと；
を備える集積回路。
【請求項２１】
無線通信システムにおいてセル獲得を容易にするための方法であって、
端末により、共通のセルサーチ帯域幅を介して１以上の同期コードを受信することと、なお、前記共通のセルサーチ帯域幅は複数の利用可能なシステム帯域幅に対して同一の帯域幅である；
前記端末により、前記複数の利用可能なシステム帯域幅のうちから選択されたシステム帯域幅を介して参照信号を受信することと、
を備え、
前記参照信号は、
前記共通のセルサーチ帯域幅に及ぶ中央部分と、なお、前記参照信号の中央部分は前記複数の利用可能なシステム帯域幅に依存しない；
前記参照信号が前記複数の利用可能なシステム帯域幅から選択された前記システム帯域幅に及ぶように前記中央部分の拡張と；
を備える、方法。
【請求項２２】
前記１以上の同期コードは前記選択されたシステム帯域幅の関する情報を供給する、請求項２１に記載の方法。
【請求項２３】
前記選択されたシステム帯域幅の関する情報は、前記選択されたシステム帯域幅と予め決められた帯域幅閾値との比較を備える、請求項２２に記載の方法。
【請求項２４】
前記選択されたシステム帯域幅の関する情報は、前記選択されたシステム帯域幅が前記予め決められた前記帯域幅閾値より大きいかまたは等しいことを示し、前記生成された中央部分は前記予め決められた帯域幅閾値に対応する周波数帯に及ぶ、請求項２３に記載の方法。
【請求項２５】
前記選択されたシステム帯域幅の関する情報は、前記選択されたシステム帯域幅が前記予め決められた帯域幅閾値未満であることを示す、請求項２３に記載の方法。
【請求項２６】
前記共通のセルサーチ帯域幅は１．０８メガヘルツの帯域幅に及ぶ、請求項２１に記載の方法。
【請求項２７】
前記共通のセルサーチ帯域幅は１．２５メガヘルツの帯域幅に及ぶ、請求項２１に記載の方法。
【請求項２８】
前記１以上の同期コードは初期同期コード及び第２同期コードのうちの少なくとも１つを備える、請求項２１に記載の方法。
【請求項２９】
前記１以上の同期コードは、前記１以上の同期コードを送信する基地局に関連付けられたセルＩＤまたはセルグループＩＤのうちの少なくとも１つを運ぶ、請求項２１に記載の方法。
【請求項３０】
無線通信装置であって、前記無線通信装置は、プロセッサおよび前記プロセッサと電子的に通信するメモリを備え、
前記プロセッサは、
共通のセルサーチ帯域幅を介して１以上の同期コードを受信し、なお、前記共通のセルサーチ帯域幅は複数の利用可能なシステム帯域幅に対して同一の帯域幅である；
前記複数の利用可能なシステム帯域幅のうちから選択されたシステム帯域幅を介して参照信号を受信する、
ように構成され、
前記参照信号は、
前記共通のセルサーチ帯域幅に及ぶ中央部分と、なお、前記参照信号の中央部分は前記複数の利用可能なシステム帯域幅に依存しない；
前記参照信号が前記複数の利用可能なシステム帯域幅から選択された前記システム帯域幅に及ぶように前記中央部分の拡張と；
を備える、無線通信装置。
【請求項３１】
前記１以上の同期コードは初期同期コード及び第２同期コードのうちの少なくとも１つを備える、請求項３０に記載の無線通信装置。
【請求項３２】
前記１以上の同期コードは、前記１以上の同期コードを送信する基地局に関連付けられたセルＩＤまたはセルグループＩＤのうちの少なくとも１つを運ぶ、請求項３０に記載の無線通信装置。
【請求項３３】
前記１以上の同期コードは、前記選択されたシステム帯域幅に関する情報を供給する、請求項３０に記載の無線通信装置。
【請求項３４】
前記１以上の同期コードは、前記選択されたシステム帯域幅が帯域幅閾値より大きいかまたは等しいことを示し、前記中央部分は前記帯域幅閾値に対応する周波数帯に及ぶ、請求項３０に記載の無線通信装置。
【請求項３５】
前記１以上の同期コードは、前記選択されたシステム帯域幅が帯域幅閾値未満であることを示す、請求項３０に記載の無線通信装置。
【請求項３６】
無線通信システムにおいてセル獲得を容易にする装置であって、
共通のセルサーチ帯域幅を介して１以上の同期コードを受信するための手段と、なお、前記共通のセルサーチ帯域幅は複数の利用可能なシステム帯域幅に対して同一の帯域幅である；
前記複数の利用可能なシステム帯域幅のうちから選択されたシステム帯域幅を介して参照信号を受信するための手段と、
を備え、
前記参照信号は、
前記共通のセルサーチ帯域幅に及ぶ中央部分と、なお、前記参照信号の中央部分は前記複数の利用可能なシステム帯域幅に依存しない；
前記参照信号が前記複数の利用可能なシステム帯域幅から選択された前記システム帯域幅に及ぶように前記中央部分の拡張と；
を備える、装置。
【請求項３７】
無線通信システムにおいてセル獲得を容易にするためのコンピュータ可読記憶媒体であって、
コンピュータに、端末によって、共通のセルサーチ帯域幅を介して１以上の同期コードを受信させるためのコードと、なお、前記共通のセルサーチ帯域幅は複数の利用可能なシステム帯域幅に対して同一の帯域幅である；
前記コンピュータに、前記端末によって、前記複数の利用可能なシステム帯域幅のうちから選択されたシステム帯域幅を介して参照信号を受信させるためのコードと、
を備え、
前記参照信号は、
前記共通のセルサーチ帯域幅に及ぶ中央部分と、なお、前記参照信号の中央部分は前記複数の利用可能なシステム帯域幅に依存しない；
前記参照信号が前記複数の利用可能なシステム帯域幅から選択された前記システム帯域幅に及ぶように前記中央部分の拡張と；
を備える、コンピュータ可読記憶媒体。
【請求項３８】
セル獲得を容易にするためのコンピュータ実行可能な命令を実行する集積回路であって、
前記命令は、
端末によって、共通のセルサーチ帯域幅を介して１以上の同期コードを受信することと、なお、前記共通のセルサーチ帯域幅は複数の利用可能なシステム帯域幅に対して同一の帯域幅である；
前記端末によって、前記複数の利用可能なシステム帯域幅のうちから選択されたシステム帯域幅を介して参照信号を受信することと、
を備え、
前記参照信号は、
前記共通のセルサーチ帯域幅に及ぶ中央部分と、なお、前記参照信号の中央部分は前記複数の利用可能なシステム帯域幅に依存しない；
前記参照信号が前記複数の利用可能なシステム帯域幅から選択された前記システム帯域幅に及ぶように前記中央部分の拡張と；
を備える、集積回路。
【発明の詳細な説明】
【相互参照】
【０００１】
本出願は、その全体が参照によって本書に組み込まれる２００６年１１月１日提出の「直交無線通信システムにおけるセルサーチの方法および装置」と題する米国仮出願番号６０／８６３９６５への優先権を主張する。
【技術分野】
【０００２】
本開示は一般的には無線通信に関し、より詳しくは無線通信システムにおけるセルサーチを実行する技術に関する。
【背景技術】
【０００３】
無線通信システムは様々な通信サービスを提供するために広く採用され、例えば音声、映像、パケットデータ、ブロードキャストおよびメッセージングサービスはそのような無線通信システムを介して提供される。これらのシステムは利用可能なシステムリソースを共用することによって複数の端末の通信をサポートすることができる多元接続システムである。そのような多元接続システムの例は符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
端末が無線通信システムの受信可能領域に入り、電源を入れられ、またはさもなければシステムにおいて最初にアクティブになると、端末はシステムにおいて実効的になるために初期セルサーチの手続きをすることがしばしば要求される。セルサーチ手続き中、端末は典型的にシステムとの時間および周波数同期を実行する。更に端末は典型的に端末が位置するセルと、帯域幅および送信機アンテナ構成のようなその他の重大なシステム情報とを特定する。
【０００５】
セルサーチはしばしば、同期および／または参照信号を使用して無線通信システムにおいて行われる。しかし、直交周波数分割多重およびダウンリンクシステム帯域幅多様性におけるシンボル間干渉を軽減するための周期性プレフィックスの存在のような、3Ｇ  ＬＴＥ(ｔｈｉｒｄ  ｇｅｎｅｒａｔｉｏｎ  ｌｏｎｇ  ｔｅｒｍ  ｅｖｏｌｕｔｉｏｎ)システムおよびＥ−ＵＴＲＡ（ｅｖｏｌｕｔｉｏｎ  ｕｎｉｖｅｒｓａｌ  ｔｅｒｒｅｓｔｒｉａｌ  ｒａｄｉｏ  ａｃｃｅｓｓ）システムのようなシステムの様々な特徴は、効率的および信頼的な方法での同期および／または参照信号の構成を複雑にする可能性がある。従って、要求されるリソースを最小にしつつ、全体のシステム速度および信頼性を最大にするセル獲得手続きの必要がある。
【発明の概要】
【０００６】
以下はそのような実施例の基礎的理解を提供するために開示された実施例の簡素化された要約を提示する。この要約は全ての意図される実施例の広範囲な概要ではなく、鍵となるあるいは重要な要素を特定するものでも、そのような実施例の範囲を描写することを意図するものでもない。その唯一の目的は後で提示されるより詳細な説明の前置きとして簡素化された形態で開示された実施例のいくつかの概念を提示することである。
【０００７】
一つの形態によると、無線通信システムにおいて参照信号を構成する方法がここに開示される。その方法は、参照信号の中央部分(a central portion)を生成することと、なお、中央部分は参照信号が送信されるべき端末に知られており、かつ、全システム帯域幅のサブセットである周波数帯に及ぶ；参照信号が全システム帯域幅に及ぶように、生成した中央部分に基づいて参照信号を生成することと；を備える。
【０００８】
もう１つの形態は、ユーザ装置に知られているシステム帯域幅およびシステム帯域幅のサブセットに関するデータを格納するメモリを備えた無線通信装置に関する。その無線通信装置は更に、システム帯域幅から独立したユーザ装置において参照信号の検出を容易にするために、ユーザ装置に既知のシステム帯域幅のサブセットに中心を置かれた共通部分を有する参照信号を生成するように構成されたプロセッサを備える。
【０００９】
さらにもう１つの形態は、無線通信システムにおいてセル獲得を容易にする装置に関する。その装置は、少なくとも部分的に、システム帯域幅内の端末に既知の周波数帯にわたって参照信号の共通部分を生成し、システム帯域幅にわたって参照信号の共通部分をコピーすることと、システム帯域幅にわたって参照信号の共通部分を拡張することとからなるグループから選択される動作を実行することによって、端末への送信のための参照信号を生成する手段と；システム帯域幅にわたって端末に参照信号を送信する手段とを備える。
【００１０】
さらにもう１つの形態は、コンピュータに参照信号を生成させるコードと、なお、前記参照信号はシステム帯域幅に及び、システム帯域幅から独立した端末において参照信号の検出を容易にするために端末に既知のシステム帯域幅のサブセットに中心を置かれた共通部分を有する；コンピュータにシステム帯域幅にわたって端末に参照信号を送信させるコードと；を備えるコンピュータ可読媒体に関する。
【００１１】
もう１つの形態によると、セル獲得用の参照信号を設計するコンピュータ実行可能な命令を実行することができる集積回路がここに開示される。その命令は、ユーザ装置に既知の周波数帯に及ぶ共通信号を構成することと、なお、ユーザ装置に既知の前記周波数帯はシステム帯域幅のサブセットである；システム帯域幅を介して周波数で前記共通信号を並べることと、システム帯域幅に亘って共通信号を拡張することとからなるグループから選択される動作を少なくとも部分的に実行することによって参照信号を構成することと、なお、前記動作はユーザ装置による前記参照信号の帯域幅不可知検出(bandwidth-agnostic detection)を可能にする；を備える。
【００１２】
さらにもう１つの形態によると、無線通信システムにおいてセル獲得を実行する方法がここに開示される。その方法は、既知の周波数帯を特定することと、なお、既知の周波数帯は全システム帯域幅のサブセットである；前記既知の周波数帯に及ぶ参照信号の中央部分を少なくとも部分的に受信することによって全システム帯域幅に及ぶ参照信号を検出することと；を備える。
【００１３】
更なる形態によると、システム帯域幅の既知のサブセットに関連するデータを格納するメモリを備えた無線通信装置がここに開示される。無線通信装置はさらに、システム帯域幅の既知のサブセットに及ぶ参照信号の一部を少なくとも部分的に検出することによってシステム帯域幅に及ぶ参照信号を検出するように構成されたプロセッサを備える。
【００１４】
もう１つの形態は無線通信システムにおいてセル獲得の参照信号の検出を容易にする装置に関する。その装置は、第１の周波数帯の１つ以上の同期コードを受信する手段と；同期コードが第２の周波数帯に関する情報を備えるか否かを決定する手段と；第１の周波数帯と第２の周波数帯からなるグループから選択される周波数帯に中心を置かれる参照信号を受信する手段とを備え、前記周波数帯は、同期コードが第２の周波数帯に関する情報を備えるか否かの決定に少なくとも部分的に基づいて選択される。
【００１５】
さらにもう１つの形態は、どの参照信号が送信可能であるかに基づいて周波数帯をコンピュータに特定させるコードと、なお、前記特定された周波数帯は、全システム帯域幅のサブセットである；システム帯域幅に及び、かつ特定された周波数帯に中心を置かれた参照信号をコンピュータに検出させるコードと；を備えるコンピュータ可読媒体に関する。
【００１６】
さらにもう１つの形態は無線通信システムにおいてセルサーチを実行するコンピュータ実行可能な命令を実行する集積回路に関する。命令は、システム帯域幅内の周波数リソースの既知のセットを決定することと；周波数リソースの既知のセットに中心を置かれた参照信号の一部を少なくとも部分的に検出することによってシステム帯域幅を占有する参照信号を受信することと；を備える。
【００１７】
前述の、および関連する目的の達成のために、１つ以上の実施例は、以下に完全に記載され、特に請求項において指摘される特徴を備える。以下の記載および添付の図面は開示される実施例の一定の例示的な形態を詳細に記載する。しかし、それらの形態は、様々な実施例の原理が使用される様々な方法のうちのいくつかのみを指示する。また開示された実施例は、全てのそのような形態およびそれらの均等物を含むように意図される。
【図面の簡単な説明】
【００１８】
【図１】図１は、ここに記載の様々な形態に従った無線多元接続通信システムを示す図。
【図２】図２は、様々な形態に従った無線通信システムにおけるセルサーチを容易にする一例のシステムを示す図。
【図３】図３は、様々な形態に従った無線通信システムにおいて使用可能な一例のセルサーチ手続きを示す図。
【図４】図４は、無線通信システムにおいて同期コードを送信するために使用可能な一例の送信構成を示す図。
【図５Ａ】図５Ａは、様々な形態に従った参照信号を構成および送信する技術を示す図。
【図５Ｂ】図５Ｂは、様々な形態に従った参照信号を構成および送信する技術を示す図。
【図６Ａ】図６Ａは、様々な形態に従ったセルサーチに使用可能な例の参照信号構成を示す図。
【図６Ｂ】図６Ｂは、様々な形態に従ったセルサーチに使用可能な例の参照信号構成を示す図。
【図６Ｃ】図６Ｃは、様々な形態に従ったセルサーチに使用可能な例の参照信号構成を示す図。
【図７】図７は、参照信号を生成および送信する方法論のフローダイアグラム。
【図８】図８は、無線通信システムにおけるセルサーチのための信号を獲得する方法論のフローダイアグラム。
【図９Ａ】図９Ａは、参照信号検出および処理の方法論のフローダイアグラム。
【図９Ｂ】図９Ｂは、参照信号検出および処理の方法論のフローダイアグラム。
【図９Ｃ】図９Ｃは、参照信号検出および処理の方法論のフローダイアグラム。
【図１０】図１０は、ここに記載の様々な形態が機能する一例の無線通信システムを図示するブロックダイアグラム。
【図１１】図１１は、無線通信システムにおいて参照信号の構成および送信を容易にする装置のブロックダイアグラム。
【図１２】図１２は、セルサーチ手続きに関連して使用される信号の獲得を容易にする装置のブロックダイアグラム。
【発明の詳細な説明】
【００１９】
様々な形態が、類似の参照番号が全体を通して類似の要素を参照するために使用されている図面を参照して、以下に説明される。以下の記載において、説明の目的で多くの特定の詳細が１つ以上の形態の完全な理解を提供するために記載される。しかし、そのような形態が、それらの特定の詳細なしで実施され得ることは明白である。他の例においては、周知の構成および装置が、１つ以上の形態を説明することを容易にするためにブロックダイアグラムの形式で示される。
【００２０】
本出願において使用される通り、「構成部品」「モジュール」「システム」などの用語はコンピュータ関連のエンティティ、ハードウエア、ファームウエア、ハードウエアとソフトウエアの組み合わせ、ソフトウエアあるいは実行中のソフトウエアを言及することを意図する。例えば構成部品はプロセッサにおいて実行中のプロセス、プロセッサ、オブジェクト、実行ファイル、実行スレッド、プログラムおよび／またはコンピュータでもよく、しかしそれらに限定されない。例として、計算装置で実行中のアプリケーションと計算装置の双方が構成部品になりうる。１つ以上の構成部品が実行中のプロセスおよび／またはスレッドに常駐することができ、構成要素は１つのコンピュータに設置および／または２以上のコンピュータ間に分散され得る。加えて、これらの構成部品はそこに格納された様々なデータ構成を有する様々なコンピュータ可読媒体から実行可能である。構成部品は１つ以上のデータパケット（例えばローカルシステム、分布システムにおいておよび／または信号を介して他のシステムとインターネットのようなネットワークに亘ってもう１つの構成部品と相互作用している１つの構成要素からのデータ）を有する信号に従うようにローカルおよび／または遠隔プロセスを介して通信することができる。
【００２１】
さらに様々な形態は無線端末および／または基地局と関連してここに記載される。無線端末はユーザに音声および／またはデータ接続性を供給する装置に言及することができる。無線端末はラップトップコンピュータまたはデスクトップコンピュータのような計算装置に接続されることができ、あるいはそれは個人携帯情報端末（ＰＤＡ）のような内蔵型の装置でもよい。無線端末はシステム、加入者ユニット、加入者局、移動局、移動体、遠隔局、接続ポイント、遠隔端末、接続端末、ユーザ端末、ユーザエージェント、ユーザ装置、あるいはユーザ機器とも呼ばれる。無線端末は加入者局、無線装置、携帯電話、ＰＣＳ電話、コードレス電話、セッション初期プロトコル（ＳＩＰ）電話、無線ローカループ（ＷＬＬ）局、個人携帯情報端末（ＰＤＡ）、無線接続能力を有する手持ち式装置、あるいは無線モデムに接続された他の処理装置でもよい。基地局（例えば接続ポイント）は無線端末と、１つ以上のセクタを経由して、エア・インターフェースを介して通信する接続ネットワーク中の装置に言及することができる。基地局は、受信したエア・インターフェース・フレームをＩＰパケットに変換することによって、インターネットプロトコル（ＩＰ）ネットワークを含む接続ネットワークにおける無線端末とその他との間のルータとして機能することができる。基地局はまたエア・インターフェースの属性の管理を調整する。
【００２２】
さらに、ここに記載の様々な形態または特徴は、方法、装置あるいは標準的プログラミングおよび／またはエンジニアリング技術を用いて製造される製造物として実施されることができる。ここで使用される「製造物」という用語は任意のコンピュータ可読装置、キャリアまたは媒体からアクセス可能なコンピュータプログラムを含むことを意図する。例えば、コンピュータ可読媒体は磁気格納装置（例えばハードディスク、フロッピー（登録商標）ディスク、磁気ストリップ）、光学ディスク（例えばコンパクトディスク（ＣＤ）、デジタル汎用ディスク（ＤＶＤ））、スマートカードおよびフラッシュメモリ装置（例えばカード、スティック、キードライブ）を含むことができるが、それらに限定されない。
【００２３】
様々な形態が多くの装置、構成部品、モジュールなどを含むシステムに関して提示される。様々なシステムは追加の装置、構成部品、モジュールなどを含むことができ、および／または図面と関連して議論される装置、構成部品、モジュールなどの全てを含むわけではないことが理解されるべきである。それらのアプローチの組み合わせもまた使用可能である。
【００２４】
図面を参照すると、図１は様々な形態に従った無線多元接続通信システム１００を示す。一例において、無線多元接続通信システム１００は複数の基地局１１０と複数の端末１２０とを含む。さらに１以上の基地局１１０は１以上の端末１２０と通信可能である。限定しない例として、基地局１１０は接続ポイント、ノードＢ（例えば進化したノードＢすなわちｅＮＢ）および／またはもう１つの適切なネットワークエンティティである。各基地局１１０は特定の地理的領域１０２に通信可能範囲を提供する。ここに使用されそして本分野で一般的であるように、「セル」という用語は、その用語が使用される文脈によって基地局１１０および／またはその受信可能領域１０２を指すことができる。
【００２５】
システム容量を向上するために、基地局１１０に対応する受信可能領域１０２は複数のより小さい領域（例えばエリア１０４ａ、１０４ｂおよび１０４ｃ）に分割される。より小さい領域１０４ａ、１０４ｂおよび１０４ｃのそれぞれは、各基地トランシーバサブシステム（ＢＴＳ、図示せず）によってサーブされる。ここに使用されそして本分野で一般的であるように、「セクタ」という用語はその用語が使用される文脈によってＢＴＳおよび／またはその受信可能領域を指すことができる。また、ここに使用されそして本分野で一般的であるように、「セル」という用語もまたその用語が使用される文脈によってＢＴＳの受信可能領域を指すことができる。一例において、セル１０２のセクタ１０４は基地局１１０におけるアンテナ（図示せず）のグループによって形成され、アンテナの各グループはセル１０２の一部の端末１２０との通信を担当する。例えばセル１０２ａをサーブしている基地局１１０はセクタ１０４ａに対応する第１のアンテナグループと、セクタ１０４ｂに対応する第２のアンテナグループと、セクタ１０４ｃに対応する第３のアンテナグループとを有する。しかしここに開示される様々な形態は当然ながら、セクタに区切られたおよび／またはセクタに区切られないシステムにおいて使用されてもよい。さらに当然のことながら、任意の数のセクタに区切られたおよび／またはセクタに区切られないセルを有する全ての適切な無線通信ネットワークは、ここに添付の請求項の範囲内にあることを意図する。簡潔にするために、ここで使用される「基地局」という用語は、セルをサーブする局だけでなく、セクタをサーブする局も指している。
【００２６】
一形態によると、端末１２０はシステム１００全体に分散される。各端末１２０は静止または移動している。非限定的な例として、端末１２０は接続端末（ＡＴ）、移動局、ユーザ装置（ＵＥ）、加入者局および／またはもう１つの適切なネットワークエンティティである。端末１２０は無線装置、携帯電話、個人携帯情報端末（ＰＤＡ）、無線モデム、手持ち式装置、またはもう１つの適切な装置である。さらに端末１２０は任意の瞬間に任意の数の基地局１１０と通信し、またはどの基地局１１０とも通信しなくてもよい。
【００２７】
もう１つの例において、システム１００は、１以上の基地局１１０と結合され、基地局１１０の調整および制御を行うシステム制御装置１３０を使用することによって集中化アーキテクチャを使用することができる。別の形態に従うと、システム制御装置１３０は単一のネットワークエンティティまたはネットワークエンティティの集合である。加えてシステム１００は、基地局１１０が必要に応じてお互いに通信することができるようにするために分布アーキテクチャを使用する。一例において、システム制御装置１３０は複数のネットワークへの１以上の接続を追加的に含むことができる。それらのネットワークは、システム１００において１以上の基地局１１０と通信中の端末１２０へおよび／または端末１２０から情報を提供するインターネット、他のパケットベースのネットワークおよび／または回路切り替え音声ネットワークを含む。もう１つの例において、システム制御装置１３０は端末１２０への、および／または端末１２０からの送信をスケジュールすることができるスケジューラ（図示せず）を含み、および／または結合される。一方、スケジューラは各独立したセル１０２、各セクタ１０４またはそれらの組み合わせに常駐する。
【００２８】
一例において、システム１００はＣＤＭＡ、ＴＤＭＡ、ＦＤＭＡ、ＯＦＤＭＡ、シングルキャリアＦＤＭＡ（ＳＣ−ＦＤＭＡ）および／または他の適切な多元接続スキームのような、１以上の多元接続スキームを使用する。ＴＤＭＡは、異なる端末１２０に対する送信は異なる時間間隔において送信することによって直交される時分割多重（ＴＤＭ）を使用する。ＦＤＭＡは、異なる端末１２０に対する送信は異なる周波数サブキャリアにおいて送信することによって直交される周波数分割多重（ＦＤＭ）を使用する。一例において、ＴＤＭＡおよびＦＤＭＡシステムは、複数の端末に対する送信がたとえ同一の時間間隔または周波数サブキャリアにおいて送信されても、異なる直交コード（例えばウォルシュコード）を使用して直交される符号分割多重（ＣＤＭ）も使用することができる。ＯＦＤＭＡは直交周波数分割多重（ＯＦＤＭ）を使用し、ＳＣ−ＦＤＭＡはシングルキャリア周波数分割多重（ＳＣ−ＦＤＭ）を使用する。ＯＦＤＭおよびＳＣ−ＦＤＭはシステム帯域幅を複数の直交サブキャリア（例えばトーン、ビン）に区切ることができ、それらの各々はデータを用いて変調される。典型的には変調シンボルはＯＦＤＭを用いて周波数ドメインにおいておよびＳＣ−ＦＤＭを用いて時間ドメインにおいて送信される。加えておよび／または一方、システム帯域幅は１以上の周波数キャリアに分割されることができ、それらの各々は１以上のサブキャリアを含む。システム１００はＯＦＤＭＡおよびＣＤＭＡのような多元接続スキームの組み合わせも使用する。
【００２９】
もう１つの例において、システム１００の基地局１１０および端末１２０は１以上のデータチャネルを用いてデータを、そして１以上の制御チャネルを用いて信号を通信することができる。システム１００によって使用されるデータチャネルは、各データチャネルが任意の時間に１つだけの端末によって使用されるようにアクティブな端末１２０に割り当て可能である。一方、データチャネルは、データチャネルに重畳または直交的にスケジュールされる複数の端末１２０に割り当てられることができる。システムリソースを保存するために、システム１００によって用いられる制御チャネルはまた、例えば符号分割多重を使用して複数の端末１２０間で共用されることができる。
【００３０】
図２はここに記載の様々な形態に従った無線通信システムのセルサーチ機能を提供する例のシステム２００のブロックダイアグラムである。システム２００は、１以上の無線通信プロトコルを使用して順および逆リンクで互いに通信することができる１以上の基地局２１０と１以上の端末２５０とを含む。
【００３１】
一形態に従うと、端末２５０が電源を入れられ、休状態からアクティブ状態に入り、基地局２１０の受信可能領域に移動し、またはさもなければシステム２００において通信する能力を取得すると、端末２５０はシステム２００において稼動中になるためにセル獲得を行う。システム２００に初めに入ると、端末２５０は、システム２００のタイミング、システム２００内で使用される周波数リソース、システム２００の帯域幅、システム２００においてどの基地局２００が送信中か、および／または他のパラメータのような、システム２００における通信に必要なパラメータを知らない。従って、システム２００において稼動中になるために、端末２５０は例えば基地局２１０とのセルサーチまたはセル獲得手続きを介してそれらのパラメータおよび／または通信に関する他の必要な情報を取得する。
【００３２】
一例において、端末２５０は、シンボル境界、フレームおよびサブフレーム境界、ブロードキャストチャネル送信時間間隔（ＴＴＩ）境界および／またはシステム２００によって使用される他のタイミングパラメータのようなパラメータを取得するために、セル獲得手続き中にシステム２００および／または基地局２１０とのタイミング同期を実行する。さらに、端末２５０は、アップリンク送信の周波数参照として使用されることができるように、例えばダウンリンク送信用のキャリア周波数を獲得するためのセルサーチ中にシステム２００および／または基地局２１０との周波数同期を実行する。端末２５０は、端末２５０が位置する領域をサーブする基地局２１０の受信可能領域内の基地局２１０および／またはセルのＩＤ、システム帯域幅、基地局２１０においておよび／または基地局２１０内のセルにおいて使用されるアンテナ構成、システム２００内で使用される周期性プレフィックス（ＣＰ）期間、および／または他のパラメータのような、セル獲得中にシステム２００における通信に必要な他のシステム情報を加えて獲得する。
【００３３】
もう１つの例において、システムパラメータはセルサーチ情報シグナリング２３０を介して基地局２１０によってセルサーチ中に端末２５０に供給される。このシグナリングは例えば初期同期コード(a primary synchronization code)（ＰＳＣ）２３２、第２同期コード(a second synchronization code)（ＳＳＣ）２３４、参照信号（ＲＳ）２３６およびブロードキャストチャネル（ＢＣＨ）２３８を含むことができる。シグナリング２３０が実行可能な様々な機能だけでなく、シグナリング２３０が送信可能な様々な構成は以下により詳細に説明される。
【００３４】
基地局２１０は送信機２１８を介して端末２５０に送信するためのセルサーチ情報シグナリング２３０を生成および準備するために単独であるいは信号生成コンポーネント２１６と組み合わせて動作するプロセッサを含む。プロセッサ２１２は追加的にメモリ２１４と相互作用する。一例において、基地局２１０のプロセッサ２１２および／または信号生成コンポーネント２１６はタイミング同期、周波数同期および／またはその他のシステムパラメータに基づいてセルサーチ情報シグナリング２３０を構成する。それらのパラメータは基地局２１０によって個々の信号２３２〜２３８および／または信号の組み合わせに埋め込まれうる。
【００３５】
基地局２１０はまた人工知能（ＡＩ）コンポーネント２２０を含むことができる。「知能」という用語は例えばシステムについての既存情報に基づいてシステムの現在または未来状態についての結論を理由付けまたは引き出す能力を意味する。人工知能は特別な文脈または作用を特定するため、または人間の介入なしでシステムの特別な状態の確率分布を生成するために使用可能である。人工知能は、システムの利用可能なデータ（情報）のセットに対して、例えば決定ツリー、神経ネットワーク、回帰分析、クラスタ分析、包括的アルゴリズムおよび補強された学習のような高度な数学的アルゴリズムを適用することに依拠する。特に、ＡＩコンポーネント２２０はデータから学んで、例えば隠れマルコフモデル(hidden Markov models)（ＨＭＭ）および関係する原型的依存モデル(prototypical dependency models)のように構成されたモデル、例えばベイズモデルスコア(Bayesian model score)あるいは近似値を用いた構成検索によって生成されたベイシアンネットワーク(Bayesian network)のような、より一般的な確率図式モデル(probabilistic graphical models)、サポートベクトルマシン（ＳＶＭ）のような線形分類器、「神経ネットワーク」方法論と呼ばれる方法のような非線形分類器、ファジー論理方法論、および以下に記載の様々な自動化された形態を実施することに従った、（データ融合を実施する）その他のアプローチから推論(inferences)を導き出すための数多くの方法のうち１つを使用することができる。
【００３６】
もう１つの形態によると、セルサーチ情報シグナリング２３０および／または他の信号はその後、受信機２５２を介して端末２５０によって受信される。これらの信号はその後、受信した情報に基づいて端末２５０がセル獲得を行うことができるようにプロセッサ２５４および／または抽出コンポーネント(an extraction component)２６０に供給される。一例において、抽出コンポーネント２６０はセルサーチ情報２３０からシステムパラメータを抽出し、それによって端末２５０はシステム２００において動作可能になる。さらにプロセッサ２５４および／または抽出コンポーネント２６０はメモリ２５６と相互作用することができる。追加でおよび／または一方、端末２５０は端末２５０の自動化を容易にするために基地局２１０においてＡＩコンポーネント２２０と同様に動作することができるＡＩコンポーネント（図示せず）をさらに含むことができる。
【００３７】
抽出コンポーネント２６０は、抽出コンポーネント２６０によって受信されたシグナリングが１以上のセルサーチ情報信号２３２〜２３８を含むか否かを決定する検出コンポーネント２６２を更に含む。例として、検出コンポーネント２６０は、周波数にＲＳ２３６を配置するために、ＰＳＣ２３２および／またはＳＳＣ２３４のようなもう１つの信号から取得されるチャネル情報を使用することによって変調シンボルあるいは所定の時間期間にわたってＲＳ２３６のような信号のコーヒレント検出を行うことができる。代替として、検出コンポーネント２６０はシンボルあるいは時間期間にわたって周波数ドメインの信号を直接的に合計することによって変調シンボルあるいは時間期間にわたって信号の非コーヒレント検出を行うことができる。任意のシンボルおよび／または時間期間を超えたコーヒレントおよび／または非コーヒレント検出から取得される結果に基づいて、任意の信号の検出は一連のシンボルおよび／または時間期間を超えたコーヒレントおよび／または非コーヒレント結合を実行することによって完了される。
【００３８】
図３は様々な形態に従った無線通信システム（例えばシステム２００）において使用可能な例のセルサーチ手続き３００を図示するダイアグラムである。一例において、端末（例えば端末２５０）は無線通信システムにおける通信に必要なパラメータを取得するためにセルサーチ手続き３００を実行する。手続き３００はブロック３０２に示されるとおり初期同期コード（ＰＳＣ）を検出することによって開始する。ブロック３０２において検出されたＰＳＣは例えば初期同期チャネル（Ｐ−ＳＣＨ）で送信される。さらにＰＳＣは無線通信システムに共通でもよく、あるいは以下により詳細に議論されるとおり、システムパラメータを伝達するためにシステム内のエンティティ（例えば基地局２１０）によって個別に適応されることもできる。加えて、ブロック３０２に示されるとおり検出されたＰＳＣは、ＯＦＤＭシンボル、スロットおよびサブフレーム時間境界のようなシステムの大まかなタイミング情報および／または他の適切なタイミング情報を取得するために使用可能である。
【００３９】
一旦、ＰＳＣがブロック３０２に示されるとおりに検出されると、ブロック３０４に示されるとおり第２同期コード（ＳＳＣ）が検出される。ＳＳＣは例えば第２の同期チャネル（Ｓ−ＳＣＨ）で送信される。一例において、ＳＳＣ用のシーケンスは可能性のあるシーケンスのグループから選択され、セルＩＤまたはＳＳＣを送信するエンティティに対応するセルグループＩＤを伝達するために使用される。加えて、ＳＳＣは対応するＰＳＣに供給される補足情報に追加のタイミング同期を供給するために使用可能である。例えばＳＳＣは半分の無線フレームおよび無線フレーム時間境界を伝達するために使用されることができる。さらにＰＳＣと同様に、ＳＳＣは、以下により詳しく議論されるとおりシステムパラメータを伝達するためにシステムのエンティティによって個別的に適用されることができる。
【００４０】
ＰＳＣおよびＳＳＣがブロック３０２および３０４に示されるとおり検出された後、参照信号（ＲＳ）がブロック３０６に示されるとおり任意的に検出される。参照信号は例えば時間および周波数の任意のパターンで送信されるパイロットトーンを使用して構成される。参照信号はＳＳＣがセルグループＩＤのみを供給する場合に、セルＩＤを伝達するために使用可能である。また、参照信号は以下に更に詳細に議論されるとおり他のシステムパラメータを供給するために使用される。手続き３００は初期ブロードキャストチャネル（Ｐ−ＢＣＨ）のようなブロードキャストチャネル（ＢＣＨ）を介して受信される信号を復調することによってブロック３０８に示されるように続くことができる。ブロードキャストチャネルを介して受信された信号はシステムおよび／またはブロードキャストチャネルを介して送信しているエンティティについての更なる情報を含むことができる。
【００４１】
一形態に従うと、手続き３００が実行されるシステムは複数の帯域幅（例えば１．２５メガヘルツ、１．６メガヘルツ、２．５メガヘルツ、５メガヘルツ、１０メガヘルツ、１５メガヘルツ、２０メガヘルツなど）に対応する。このようにシステムによって使用される帯域幅に関係なくセル獲得を端末が実行することができるようにするために、手続き３００の信号はシステム帯域幅に不可知(agnostic)な共通の周波数帯を介して送信される。たとえば手続き３００において使用される信号は１．０８メガヘルツ、１．２５メガヘルツあるいは任意の他の適切な帯域幅に及ぶ周波数帯で送信される。
【００４２】
もう１つの形態によると、セルサーチ手続き３００のブロック３０２および３０４において検出されたＰＳＣおよび／またはＳＳＣはブロック３０６および３０８において参照信号および／またはブロードキャストチャネルを検出中の端末を支援するためにシステム情報を含むように構成される。例えばＰＳＣおよび／またはＳＳＣは、コードが送信されるセルに存在する多くの送信アンテナについての情報を含むように構成される。一例において、参照信号は信号を送信するために使用される送信アンテナの数に基づいて時間および周波数のセットパターンにおいて送信される一連のパイロットトーンを備える。従って参照信号を受信する前に参照信号を送信するために使用される送信アンテナの数を知ることにより、その検出の支援をするために参照信号に存在するパイロットトーンのエネルギーを端末が使用することを可能にする。送信アンテナの数に関する情報は無線フレーム内のＰＳＣの時間配置を変化することによって、ＰＳＣおよび／またはＳＳＣ用のシーケンスを変化することによって、および／または任意の他の手段によってＰＳＣおよび／またはＳＳＣに埋め込むことができる。
【００４３】
もう１つの例として、ＰＳＣおよび／またはＳＳＣは、任意のノードＢ（例えば基地局２１０）によってサーブされる多くのセクタに関する情報を伝達するように構成される。ノードＢによってサーブされるセル内のセクタの参照信号は例えば、時間および／または周波数リソースを共用するために符号分割多重（ＣＤＭ）を用いて多重化される。従って参照信号の検出に先立ってノードＢによってサーブされるセクタの数を知ることは検出性能を追加的に向上することができる。一例において、ノードＢによってサーブされるセクタの数に関する情報はセルの送信アンテナの数に関する情報と同様の方法でＰＳＣおよび／またはＳＳＣに内蔵可能である。
【００４４】
追加の例として、システム帯域幅に関する情報はＰＳＣおよび／またはＳＳＣに内蔵可能である。一例において、システムは複数の帯域幅の下で動作可能である；従って手続き３００を経てセル獲得を実行している端末はシステムによって使用される帯域幅を初めから知らなくてもよい。このため、ＰＳＣ、ＳＳＣおよび／または他のセル獲得信号はセル獲得のための共通の周波数帯で送信される。しかしシステム帯域幅に関する情報がブロック３０６および３０８に示されるとおり、参照信号の検出および／またはブロードキャストチャネルを介した信号の復調に先立って供給される場合、参照信号および／またはブロードキャストチャネルはセル獲得の共通の周波数帯を超えた帯域幅を使用することができるようにされる。結果としてより多くの情報が参照信号および／またはブロードキャストチャネルを介して送信可能であり、より早くより効率的なセル獲得という結果になる。ＰＳＣおよび／またはＳＳＣはシステムによって使用される正確な帯域幅を供給するように構成可能である。一方、帯域幅は範囲内において特定可能である（例えばシステム帯域幅が参照帯域幅より小さい、同等あるいは大きいかどうか）。システム帯域幅に関する情報は送信アンテナおよび／またはノードＢによってサーブされるセクタに関する情報と同様の方法でＰＳＣおよび／またはＳＳＣに内蔵可能である。更に様々なシステム帯域幅および同期コード構成の参照信号を送信する技術は以下により詳細に記載される。
【００４５】
図４は無線通信システム（例えばシステム２００）において同期コード（例えばＰＳＣ２３２およびＳＳＣ２３４）を送信するために使用可能な例の送信構成４００を示す。送信構成４００は無線通信システムにおいて使用可能なダウンリンクフレームの例の構成を図示する。構成４００に図示されるとおり、フレームは時間の一連のスロットとして整列され、そのうち１つ以上はシグナリングおよび／または共用されるデータの送信用に使用される。一例において、ＯＦＤＭに起因する干渉を軽減するために無線通信システムによって使用される周期性プレフィックスは、構成４００に図示されるフレームのようなダウンリンクフレームの１以上のサブフレームにおいて供給される情報に基づいて、セルサーチ中に端末によって決定される。
【００４６】
構成４００はＰＳＣおよびＳＳＣが送信可能な時間における位置の一例を図示する。一形態に従うと、対応するＰＳＣおよびＳＳＣシーケンスが時間及び周波数について近接して配置されない限り、ＳＳＣは位相参照としてＰＳＣを使用してコーヒレントに検出されることができない。その結果、ＳＳＣに使用可能なタイプのシーケンスに制約が存在し、従って使用可能な異なるＳＳＣシーケンスの数に制約が存在する。一般的に、ＳＳＣのコーヒレント検出を許可する送信構成は多くのＳＳＣシーケンスを使用可能にし、一方、ＳＳＣの非コーヒレント検出のみを許可する送信構成は使用可能なＳＳＣの数を少数に限定する。
【００４７】
もう１つの形態によると、同期システムにおいて、送信構成４００はセルからセルに複製可能である。従って無線フレーム内のＰＳＣおよびＳＳＣ位置が固定される場合、他のセルによって使用されるＰＳＣと同様のＰＳＣは「単一周波数ネットワーク」（ＳＦＮ）チャネルを体験することができる。その結果、セル専用ＳＳＣとセル共通ＰＳＣの位相間のミスマッチが存在しうる。このため様々な信号検出技術が使用可能である。たとえばＳＳＣは対応するＰＳＣがＳＳＣの検出に使用されないように非コーヒレントに検出可能である。加えておよび／または一方、複数のＰＳＣは単一の共通ＰＳＣに対して、システムにおいて使用可能である。
【００４８】
図５Ａ〜５Ｂを参照すると、参照信号（例えばＲＳ２３６）を構成および送信する様々な技術がダイアグラム５１０〜５６０を用いて図示される。ダイアグラム５１０〜５６０は例示的目的で提供されるにすぎず、尺度で描かれてはいない。またダイアグラム５１０〜５６０によって図示される帯域幅の特定の割合は、ダイアグラム５１０〜５６０に図示される物体の相対的大きさから伝達されることを明示的にも暗示的にも意図しない。
【００４９】
一形態によると、図５Ａのダイアグラム５１０は、ＰＳＣが送信される無線通信システム（例えばシステム２００）の全体の帯域幅と比較した、ＰＳＣ（たとえばＰＳＣ２３２）の送信に使用可能なセルサーチ帯域幅を図示する。一例において、そのような無線通信システムは複数の帯域幅において動作可能である。結果としてユーザ装置（ＵＥ）はシステムの帯域幅を最初に知らなくてもよい。任意のＵＥがシステム帯域幅を知らないという事実に関わらず初期セル獲得を容易にするために、ＰＳＣはデフォルトのセルサーチ帯域幅で送信可能である。ダイアグラム５１０に図示されるとおり、ＰＳＣはシステム帯域幅の中心に配置されることができ、システムの帯域幅に関係無くサポートを保証するのに十分なサイズの帯域幅を占有することができる。
【００５０】
同様に、システム帯域幅情報が手続き３００のブロック３０６において図示されるように参照信号の検出に先立って供給されない限り、ＵＥは参照信号の検出のために共通のセルサーチ帯域幅を再び使用することができる。ＵＥはＵＥをシステムにおいて動作可能にするために手続き３００のブロック３０２〜３０４においてＰＳＣおよび／またはＳＳからタイミングおよび周波数同期および／または他のシステムパラメータに関する情報を取得することができ、一方、ＵＥはシステム帯域幅情報がＰＳＣおよび／またはＳＳＣにおいて供給されない限り参照信号が検出されるべき時間にシステム帯域幅をなお知らなくてもよい。しかし、参照信号は全体の帯域幅に及ぶように任意のシステム帯域幅についてしばしば一義的に定義される。その結果、ＵＥは検出に先立ってシステム帯域幅を知らない場合、参照信号を検出するための可能性のあるシステム帯域幅に対応する複数の仮説を検査する必要がある。それゆえ参照信号はシステム帯域幅に関係無く所定の周波数帯において共通の中央部分を含むように帯域幅不可知方式で構成される。そのようにすることによって、ＵＥは前記帯域幅についての知識を必要とすることなくシステムの全体の帯域幅について定義された参照信号を検出することができる。
【００５１】
ダイアグラム５２０は、帯域幅情報が参照信号の送信に先立って供給されない場合、様々な形態にしたがってシステム帯域幅に独立した参照信号を構成するために使用可能な１つの技術を図示する。ダイアグラム５２０に図示される通り、参照信号の共通部分は時間および周波数において二次元マトリックスとして構築される。「周期的ブロック」または他の適切な学術用語でも呼ばれるこの部分はその後、システムの共通のセルサーチ帯域幅に中心を置くことができる。ダイアグラム５２０に更に図示されるとおり、参照信号はその後参照信号がシステム帯域幅に及ぶように共通の周期的ブロックを繰り返すことによって送信される。
【００５２】
一方、ダイアグラム５３０は、帯域幅情報が参照信号検出に先立ってＵＥに知られていない場合、帯域幅不可知方式で参照信号を構成するために使用可能なもう１つの技術を図示する。ダイアグラム５３０に図示されるとおり、参照信号の帯域幅独立部分は時間および周波数において二次元マトリックスとして構築され、ダイアグラム５２０に図示されるそれと同様の方法で共通のセルサーチ帯域幅に中心を置くことができる。次に、システム帯域幅に及ぶように参照信号を拡張するために参照信号の共通部分に拡張が施される。図５Ａのダイアグラム５２０〜５３０に図示される技術を使用することによって、共通のセルサーチ周波数帯に位置された参照信号の部分はシステム帯域幅に関係無くＵＥと同様に現れることができる。
【００５３】
同様に、図５Ｂは完全なあるいは部分的な帯域幅情報が参照信号検出に先立って供給される場合の参照信号を構築および送信する技術を図示する。一形態によると、ダイアグラム５４０は完全な帯域幅情報が参照信号検出に先立ってＵＥに供給されるシナリオを図示する。そのような場合、参照信号はＵＥがシステム帯域幅についての完全な知識を既に有するという事実により、帯域幅仮説(bandwidth hypotheses)を検査することをＵＥに要求することなく、全システム帯域幅に及ぶことができる。
【００５４】
一方、ダイアグラム５５０および５６０は部分的な帯域幅情報のみが参照信号検出に先立ってＵＥに供給されるシナリオにおいて使用可能な技術を図示する。例えばＵＥはシステム帯域幅が帯域幅範囲閾値(bandwidth range threshold)に関係した任意の範囲内にあるということを通知される。そのような例において、システム帯域幅が帯域幅範囲閾値未満である場合、参照信号は図５Ａのダイアグラム５２０〜５３０に図示されるとおり、共通のセルサーチ周波数帯に中心をおかれて送信される。そうでなければ、システム帯域幅が閾値より大きくまたは同等である場合、ＵＥはシステム帯域幅が少なくとも閾値と同じくらい大きいということを推論することができる。従って帯域幅範囲閾値は、より多くの情報を参照信号および／または次のブロードキャストチャネル送信において伝達可能にするために、共通のセルサーチ周波数帯の代りに参照信号の送信用に使用される。一例において、参照信号の共通部分は範囲閾値に等しい帯域幅に構築され、中心をおかれる。この中心部分はその後、ダイアグラム５２０および５３０と同様に全システム帯域幅に及ばすために、ダイアグラム５５０に図示されるように複製され、またはダイアグラム５６０に図示されるように拡張される。
【００５５】
図６Ａ〜６Ｃは様々な形態によるセルサーチに使用可能な例の参照信号構成６１０〜６３０を示すダイアグラムである。一形態によると、参照信号の構成用のシーケンスは所定の時間間隔で送信可能な一連のパイロットトーンにマッピングされた周波数である。一例において、参照信号はシステムのＵＥ（例えば端末２５０）にそれらのパラメータを伝達するためにシステムパラメータを含むよう追加して構成される。もう１つの形態によると、参照信号用のパイロットトーンシーケンスは、参照信号を送信するセルにおける多くの送信アンテナに基づく。例えば図６Ａのダイアグラム６１０は単一の送信アンテナによって使用可能な例の参照信号構成を図示する。ダイアグラム６１０に図示されるとおり、送信アンテナは、第１のセットの周波数における第１の参照信号と第２のセットの周波数における第２の参照信号の送信を時間の経過と共に交互にすることができる。もう１つの例として図６Ｂのダイアグラム６２０は２つの送信アンテナを有するセルによって使用可能な例の参照信号構成を図示する。ダイアグラム６２０に図示されるとおり、各送信アンテナは、ダイアグラム６１０に図示される単一の送信アンテナと同様に、第１のセットの周波数と第２のセットの周波数とにおけるパイロットシンボルの送信を時間の経過と共に交互にすることができる。
【００５６】
加えて、図６Ｃのダイアグラム６３０は、例えば、４つの送信アンテナを有するセルによって使用可能な例の参照信号構成を示す。ダイアグラム６３０に図示されるとおり、送信（Ｔｘ）アンテナ１およびＴｘアンテナ２としてダイアグラム６３０に示される、４つの送信アンテナのうち２つはダイアグラム６１０および６２０に図示されるそれと同様に、第1のセットの周波数と第２のセットの周波数とにおけるパイロットシンボルの送信を時間の経過と共に交互にする。またダイアグラム６３０は、Ｔｘアンテナ３およびＴｘアンテナ４として示される２つの追加の送信アンテナは、全４つの送信アンテナが各スロットの最初に隣接する周波数サブキャリアでプロットトーンを送信するように、各０．５ｍｓスロットの最初に周波数サブキャリアの交互のセットで送信することを図示する。
【００５７】
図７〜９を参照すると、無線通信システムにおけるセルサーチの方法論が図示される。説明を簡潔にする目的で方法論は一連の動作として指示および図示されるが、１以上の形態によると、いくつかの動作はここに指示および図示される順序とは異なる順序および／または他の動作と同時に生じてもよいので、方法論は動作の順序に限定されないことを理解されたい。たとえば方法論は状態ダイアグラムにおけるような一連の相互関連する状態またはイベントとしてもう一つの選択肢として指示されることを当業者は当然理解するであろう。さらに、１以上の形態によると、方法論を実施するために全ての図示された動作が必要とされるわけではない。
【００５８】
図７を参照すると、無線通信システム（例えばシステム２００）において参照信号（例えばＲＳ２３６）を生成および送信する方法論７００が図示される。方法論７００は例えば基地局（例えば基地局２１０）および／または任意の他の適切なネットワークエンティティによって実行されることができる。方法論７００はブロック７０２において開始し、セルサーチの共通の周波数帯がシステム帯域幅内で特定される。一例において、方法論７００が実行可能なシステムは複数のシステム帯域幅を用いて動作可能である。しかし、端末または他の装置は、システムが動作している特定の帯域幅を通知されるまでシステムにおいて効率的に通信することができない。従って周波数帯はシステムにおいて使用される特定の帯域幅から独立したブロック７０２においてセル獲得用に使用される。例として、共通の周波数帯は１．０８メガヘルツ、１．２５メガヘルツまたは複数のシステム帯域幅から便利に分割されることができるもう１つの周波数範囲に及ぶ。
【００５９】
方法論７００はその後ブロック７０４に続き、１以上の同期コード（例えばＰＳＣ２３２および／またはＳＳＣ２３４）はブロック７０２において特定された共通の周波数帯において送信される。次に方法論７００は、方法論７００が実行されているシステムの帯域幅に関する情報がブロック７０４において送信された同期コードに供給されているか否かに基づいてブロック７０６において分岐する。帯域幅情報が同期コード中で供給されている場合、方法論７００はブロック７０８に進み、供給された帯域幅情報に基づいて周波数帯に及ぶ参照信号（例えばＲＳ２３６）の中央部分が生成される。一形態によると、参照信号の中央部分が７０８において生成される方法は、完全な又は一部の帯域幅情報が７０６において同期コードによって供給されるか否かによる。たとえばシステムの正確な帯域幅がブロック７０４において供給される場合、参照信号の中央部分は図５Ｂのダイアグラム５４０に図示されるように全システム帯域幅に及ぶ。一方、一部の帯域幅情報が代りに供給される場合、システム帯域幅のサブセットに及ぶ参照信号の中央部分はブロック７０８において生成される。例えばブロック７０４において送信された同期コードがシステム帯域幅は任意の帯域幅範囲閾値より大きいと指摘する場合、同期コードを受信する端末はシステム帯域幅が少なくとも閾値と同じくらい大きいと推論することができる。従って、図５Ｂのダイアグラム５５０および５６０に図示されるように、閾値に対応する周波数範囲に及ぶブロック７０８における参照信号の中央部分は構築される。
【００６０】
一方、帯域幅情報がブロック７０４において送信された同期コードにおいて供給されない場合、方法論は代りにブロック７１０にブロック７０６から分岐し、図５Ａのダイアグラム５２０および５３０に図示されるようにブロック７０２において特定されたセルサーチの共通周波数帯に及ぶ参照信号の中央部分が生成される。上記したとおり、ブロック７０２において特定された共通の周波数帯はシステム帯域幅から独立しているので、共通の周波数帯のブロック７１０における参照信号の中央部分を生成することは、端末がシステム帯域幅に関する知識がなくても参照信号の中央部分を受信することができることを保証する。
【００６１】
ブロック７０８またはブロック７１０において記載されたとおり参照信号の中央部分を生成すると、方法論７００はブロック７１２に進み、参照信号が全システム帯域幅に及ぶように生成された中央部分はコピーまたは拡張される。一例において、参照信号はシステムによって使用される全帯域幅に亘って送信される。しかし上述したとおり、端末は帯域幅の一部が存在することのみを知る。このように、ブロック７０８またはブロック７１０において生成された参照信号の中央部分が端末におけるシステム帯域幅の不充分な知識が原因で全システム帯域幅をカバーしない場合、中央部分は全システム帯域幅をカバーするためにコピーあるいは拡張される。一例において、中央部分は時間および周波数の周期的ブロックとして中央部分を処理して、図５Ａのダイアグラム５２０および図５Ｂのダイアグラム５５０に供給されるように、システム帯域幅に沿って周期的ブロックを並べること(tiling)によって全帯域幅に及ぶためにコピー可能である。加えておよび／または一方、参照信号の生成された中央部分の両端は図５Ａのダイアグラム５３０および図５Ｂのダイアグラム５６０に図示されるように完全なシステム帯域幅に及ぶまで拡張可能である。参照信号がブロック７１２において記載されるようにシステム帯域幅に及ぶために改良されると、方法論７００はブロック７１４において終了し、参照信号はシステム帯域幅に亘って送信される。
【００６２】
図８は無線通信システムにおけるセルサーチの信号を獲得する方法論８００を図示する。方法論８００は、無線通信システムにおいて例えば端末（例えば端末２５０）および／または任意の他の適切なエンティティによって実行可能である。方法論８００はブロック８０２において開始し、初期同期コード（例えばＰＳＣ２３２）がセルサーチ動作用の共通の周波数帯で受信される。一例において、方法論８００が実行可能なシステムは複数の帯域幅の下で動作可能であり、その結果として、方法論７００に関して記載したとおり１．０８メガヘルツ、１．２５メガヘルツあるいはもう１つの適切なサイズの共通周波数帯がブロック８０２においてＰＳＣの通信のために供給可能である。次にブロック８０４において、第２同期コード（たとえばＳＳＣ２３４）が受信される。ブロック８０２において受信されたＰＳＣが帯域幅情報を供給する場合、ＳＳＣは供給された帯域幅情報に基づいた周波数帯でブロック８０４において受信される。さもなければＳＳＣはＰＳＣがブロック８０２において受信された周波数帯に基づいた共通の周波数帯でブロック８０４において受信される。
【００６３】
ブロック８０２および８０４において記載されたように、ＰＳＣおよびＳＳＣを受信した後、方法論８００は８０６に続き、ＰＳＣおよび／またはＳＳＣが帯域幅情報を含むか否かが決定される。上記の方法論７００と同様、参照信号は方法論８００が実行されるシステムによって使用される全帯域幅に及ぶように構成可能である。このように方法論７００を実行中のエンティティが参照信号を検出することができる技術は、前記エンティティがシステム帯域幅に関する情報を有するか否かによって変更することができる。
【００６４】
ＰＳＣおよび／またはＳＳＣが帯域幅情報を供給する場合、方法論８００はブロック８０８に進み、ＰＳＣおよび／またはＳＳＣの帯域幅情報によって供給された周波数帯に中心を置かれた参照信号が受信される。一形態に従うと、ＰＳＣおよび／またはＳＳＣによって供給された帯域幅情報は正確な帯域幅または範囲に関する帯域幅形状を供給することができる。帯域幅情報が正確な帯域幅に対応する場合、参照信号は全帯域幅でブロック８０８において受信可能である。帯域幅情報が代りに範囲に関連して供給される場合、ブロック８０８における動作は帯域幅が範囲閾値より大きいか、同等かまたは未満かどうかに依存する。システム帯域幅は範囲閾値より大きいまたは同等であるということを帯域幅情報が指摘する場合、システム帯域幅が範囲閾値と同じ位大きいことが方法論８００を実行するエンティティによって推論される。従って参照信号は範囲閾値に対応する帯域幅でブロック８０８において受信される。一方、帯域幅情報がシステム帯域幅は範囲閾値未満であるということを指摘する場合、参照信号は代りにブロック８０２においてＰＳＣ用の共通の周波数帯でブロック８０８において受信される。ＰＳＣおよび／またはＳＳＣが帯域幅情報を供給しない場合、方法論８００はブロック８１０にブロック８０６から進み、参照信号はブロック８０２においてＰＳＣ用の共通の周波数帯で受信される。
【００６５】
ブロック８０８および／または８１０において記載された動作を実行した後、方法論８００は終了する。一方、方法論８００はブロック８１２に進み、全システム帯域幅が受信された参照信号に基づいて決定される。ブロック８０８または８１０において、受信された参照信号がシステム帯域幅に関する情報を含む場合、システム帯域幅はその情報にもとづいてブロック８１２において決定される。さもなければ帯域幅は、図５Ａ〜５Ｂのダイアグラム５２０〜５６０に図示されるとおり、例えば検出された参照信号がコピーまたは拡張された帯域幅を検出することによって決定される。
【００６６】
図９Ａ〜９Ｃは無線通信システムにおける参照信号検出および処理の様々な方法論９１０〜９３０を図示する。方法論９１０〜９３０はたとえば無線通信システムにおいて端末および／または任意の他の適切なエンティティによって実行可能である。一形態によると、参照信号は対応する時間期間（例えば０．５ｍｓ）で送信される一連のＯＦＤＭシンボルからなる。さらに参照信号が送信される時に、端末はどのように参照信号が送信されたかに関する１以上のパラメータを知らなくてもよい。例えば端末は、上記図６Ａ〜６Ｃに関して記載されるように参照信号の構成に影響を与えうる任意の参照信号を送信するために使用される送信アンテナの数を知らなくてもよい。その結果、端末は参照信号を送信した多くの送信アンテナを決定するために多くの送信アンテナに夫々対応することができる一組の仮説の下で図９Ａ〜９Ｃのうち１つ以上によって図示される参照信号を検出することを試みる。
【００６７】
図９Ａ〜９Ｃは参照信号を検出する端末によって使用可能な様々な方法論９１０〜９３０を図示する。図９Ａ〜９Ｃによって一般的に図示されるとおり、参照信号は一連の仮説の下で単一のＯＦＤＭシンボルまたは時間期間で検出を行い、そして適切な仮説を決定するために、一連の仮説のそれらの部分的結果を組み合わせることによって検出されることができる。特に図９Ａを見ると、参照信号を検出および処理するための第１の方法論９１０のフローダイアグラムが図示される。方法論９１０はブロック９１２において開始し、コーヒレント検出が１つ以上の仮説に対して一連の時間期間で参照信号に対して実行される。一例において、コーヒレント検出は周波数の参照信号を構成するパイロットトーンを位置するために、もう１つのチャネル（例えばＰＳＣ２３２および／またはＳＳＣ２３４が送信されるチャネル）から取得された固定チャネル参照を使用する。それらのトーンはその後ブロック９１２において考慮されるために各時間期間および仮説毎に合計される。次にブロック９１４において、ブロック９１２において考慮された仮説毎の時間期間に亘ってコーヒレント結合が行われる。より具体的には、コーヒレント結合は一連の時間期間にブロック９１２において取得されたコーヒレント検出された部分的結果の各仮説の直接的和算を実行することによってブロック９１４において実行される。ブロック９１４において結合が完了すると、方法論９１０はブロック９１６において終了し、仮説は結合の結果に基づいて選択される。
【００６８】
図９Ｂは参照信号を検出および処理する第２の方法論９２０を図示する。方法論９２０はブロック９２２において開始し、方法論９１０のブロック９１２と同様にコーヒレント検出は１つ以上の仮説について一連の時間期間で参照信号に対して行われる。次にブロック９２４において非コーヒレント結合はブロック９２２において考慮された仮説毎の時間期間にわたって実行される。一例において、ブロック９２２において取得されたコーヒレント検出された部分的結果は各部分的結果のエネルギーを先ず取得して、その後考慮されるべき仮説毎の時間期間で総エネルギーを和算することによってブロック９２４において非コーヒレントに結合される。方法論９２０はその後、ブロック９２４において実行された結合の結果に基づいて仮説を選択することによりブロック９２６において終了する。
【００６９】
図９Ｃは参照信号を検出および処理する第３の方法論９３０を図示する。方法論９３０はブロック９３２において開始し、非コーヒレント検出が１つ以上の仮説の一連の時間期間で参照信号に対して実行される。ブロック９１２および９２２において実行されたコーヒレント検出とは反対に、非コーヒレント検出はチャネル参照を使用しない。その代わり参照信号はブロック９３２において考慮されるべき各時間期間および仮説毎の周波数ドメインにおいて直接的に和算される。次にブロック９３４において、ブロック９３２において考慮された仮説毎の時間期間に渡り非コーヒレント結合が実行される。一例において、ブロック９３４における非コーヒレント結合は考慮されるべき仮説毎の時間期間でブロック９３２において取得された部分的結果の直接的和算を行うことによって実行可能である。最後にブロック９３６において仮説はブロック９３４において実行された結合の結果に基づいて選択される。
【００７０】
図１０を参照すると、ここに記載された１つ以上の実施例が機能することができる一例の無線通信システム１０００を図示するブロックダイアグラムが提供される。一例において、システム１０００は送信機システム１０１０と受信機システム１０５０とを含むマルチ入力マルチ出力（ＭＩＭＯ）システムである。しかし、送信機システム１０１０および／または受信機システム１０５０は、例えば（例えば基地局の）多重送信アンテナが単一のアンテナ装置（例えば移動局）に１以上のシンボルストリームを送信することができるマルチ入力シングル出力システムにも適用可能である。また、ここに記載の送信機システム１０１０および／または受信機システム１０５０の形態は、シングル出力シングル入力アンテナシステムと組み合わせて使用可能である。
【００７１】
一形態によると、多くのデータストリームのトラヒックデータはデータソース１０１２から送信（ＴＸ）データプロセッサ１０１４に送信機システム１０１０において供給される。一例において、各データストリームはその後夫々の送信アンテナ１０２４を介して送信される。加えてＴＸデータプロセッサ１０１４は、符号化データを供給するために夫々のデータストリーム毎に選択された特定の符号化スキームに基づいて各データストリームのトラヒックデータをフォーマット、符号化およびインターリーブする。一例において、各データストリームの符号化データはその後ＯＦＤＭ技術を用いてパイロットデータと多重化される。パイロットデータは例えば周知の方法で処理される周知のデータパターンでもよい。さらにパイロットデータはチャネル応答を推定するために受信機システム１０５０において使用される。送信機システム１０１０に戻ると、各データストリームの多重化パイロットおよび符号化データは変調シンボルを供給するために夫々のデータストリーム毎に選択された特定の変調スキーム（例えばＢＰＳＫ、ＱＳＰＫ、Ｍ−ＰＳＫ、あるいはＭ−ＱＡＭ）に基づいて変調（例えばシンボルマッピング）される。一例において、データストリーム毎のデータ速度、符号化および変調はプロセッサ１０３０によって実行されたおよび／または供給された命令によって決定される。
【００７２】
次に全データストリームの変調シンボルは（例えばＯＦＤＭの）変調シンボルを更に処理することができるＴＸプロセッサ１０２０に供給される。ＴＸ  ＭＩＭＯプロセッサ１０２０はその後、Ｎｔ個のトランシーバ１０２２ａから１０２２ｔにＮｔ個の変調シンボルを供給する。一例において、各トランシーバ１０２２は１以上のアナログ信号を供給するために夫々のシンボルストリームを受信および処理する。各トランシーバ１０２２はその後、ＭＩＭＯチャネルを介して送信に適した変調信号を供給するためにアナログ信号を更に調整（例えば増幅、フィルタリングおよび上げ変換）する。従って、トランシーバ１０２２ａから１０２２ｔからのＮｔ個の変調信号はその後、Ｎｔ個のアンテナ１０２４ａから１０２４ｔからそれぞれ送信される。
【００７３】
もう１つの形態によると、送信された変調信号はＮｒ個のアンテナ１０５２ａから１０５２ｒによって受信機システム１０５０において受信されることができる。各アンテナ１０５２からの受信信号はその後夫々のトランシーバ１０５４に供給される。一例において、各トランシーバ１０５４はそれぞれの受信信号を調整（例えばフィルタリング、増幅および下げ変換）して、サンプルを供給するために調整信号をデジタル化して、対応する「受信」シンボルストリームを供給するためにサンプルを処理する。ＲＸ  ＭＩＭＯ／データプロセッサ１０６０はＮｔ個の「検出」シンボルストリームを供給するために特定の受信機処理技術に基づいてＮｒ個のトランシーバ１０５４からのＮｒ個の受信シンボルストリームを受信および処理する。一例において、各検出シンボルストリームは対応するデータストリームで送信された変調シンボルの推定であるシンボルを含む。ＲＸプロセッサ１０６０はその後、対応するデータストリームのトラヒックデータを回復するために各検出シンボルストリームを少なくとも部分的に復調、デインターリーブ、および復号することによって各シンボルストリームを処理する。このようにＲＸプロセッサ１０６０による処理は送信機システム１０１０におけるＴＸ  ＭＩＭＯプロセッサ１０２０およびＴＸデータプロセッサ１０１４によって実行される処理に対して相補的である。ＲＸプロセッサ１０６０はデータシンク１０６４に処理シンボルストリームを追加的に供給する。
【００７４】
一形態によると、ＲＸプロセッサ１０６０によって生成されたチャネル応答推定は受信機における空間／時間処理、電力レベルの調整、変調速度またはスキームの変更、および／または他の適切な動作を実行するために使用可能である。加えて、ＲＸプロセッサ１０６０は例えば検出シンボルストリームの信号対雑音および干渉比（ＳＮＲ）のような、チャネル特性を更に推定する。ＲＸプロセッサ１０６０はその後、プロセッサ１０７０に推定したチャネル特性を供給する。一例において、ＲＸプロセッサ１０６０および／またはプロセッサ１０７０は更にシステムの「動作中の」ＳＮＲの推定を引き出す。プロセッサ１０７０はその後、通信リンクおよび／または受信データストリームに関する情報を備えたチャネル状態情報（ＣＳＩ）を供給することができる。この情報は例えば動作中のＳＮＲを含む。ＣＳＩはその後ＴＸデータプロセッサ１０１８によって処理され、変調機１０８０によって変調され、トランシーバ１０５４ａから１０５４ｒによって調整され、そして送信機システム１０１０に返送される。加えて、受信機システム１０５０のデータソース１０１６はＴＸデータプロセッサ１０８０によって処理されるべき追加データを供給する。
【００７５】
送信機システム１０１０に戻ると、受信機システム１０５０からの変調信号は、その後、受信機システム１０５０によって報告されたＣＳＩを回復するために、アンテナ１０２４によって受信され、トランシーバ１０２２によって調整され、復調機１０４０によって復調され、ＲＸデータプロセッサ１０４２によって処理される。一例において、報告されたＣＳＩはその後プロセッサ１０３０に供給され、１以上のデータストリームに使用されるために符号化および変調スキームだけでなくデータ速度を決定するために使用される。決定された符号化および変調スキームはその後、量子化および／または受信機システム１０５０への後の送信における使用のためトランシーバ１０２２に供給される。加えておよび／または一方、報告されたＣＳＩは、ＴＸデータプロセッサ１０１４およびＴＸ  ＭＩＭＯプロセッサ１０２０に対する様々な制御を生成するためにプロセッサ１０３０によって使用される。もう１つの例において、ＣＳＩおよび／またはＲＸデータプロセッサ１０４２によって処理される他の情報はデータシンク１０４４に供給される。
【００７６】
一例において、送信機システム１０１０のプロセッサ１０３０および受信機システム１０５０のプロセッサ１０７０は、それらの夫々のシステムにおいて動作を指示する。また送信機システム１０１０のメモリ１０３２および受信機システム１０５０のメモリ１０７２は、それぞれプロセッサ１０３０および１０７０によって使用されるプログラムコードおよびデータの格納をする。更に受信機システム１０５０において、様々な処理技術がＮｔ個の送信シンボルストリームを指示するためにＮｒ個の受信信号を処理するために使用可能である。それらの受信機処理技術は、等化技術とも呼ばれる空間および空間時間受信機処理技術、および／または「逐次干渉消去」または「逐次消去」受信機処理技術とも呼ばれる「逐次ゼロ／等化および干渉消去(successive nulling/equalization and interference cancellation)」受信機処理技術を含むことができる。
【００７７】
図１１は無線通信システム（例えばシステム２００）において参照信号（たとえばＲＳ２３６）の構築および送信を容易にする装置１１００を図示する。装置１１００はプロセッサ、ソフトウエアあるいはそれらの組み合わせ（たとえばファームウエア）によって実施される機能を代表する機能的ブロックでもよい機能的ブロックを含んで図示される。装置１１００はノードＢ（例えば基地局２１０）および／またはもう１つの適切なネットワークエンティティにおいて実施可能であり、システム帯域幅内の共通のセルサーチ周波数帯で同期信号を送信するモジュール１１０２と、所定量のシステム帯域幅に及ぶ参照信号の中央部分を生成して、システム帯域幅の残りの部分に中央部分を拡張することによってシステム帯域幅に及ぶ参照信号を構築するモジュール１１０４と、システム帯域幅に亘って参照信号を送信するモジュール１１０６とを含む。
【００７８】
図１２はセルサーチ手続きに関連して使用される信号の獲得を容易にする装置１２００を図示する。装置１２００はプロセッサ、ソフトウエアあるいはそれらの組み合わせ（たとえばファームウエア）によって実施される機能を代表する機能的ブロックでもよい機能的ブロックを含んで図示される。装置１２００はユーザ装置（例えば端末２５０）および／またはもう１つの適切なネットワークエンティティにおいて実施され、共通のセルサーチ周波数帯で初期同期信号（例えばＰＳＣ２３２）を受信するモジュール１２０２と、共通のセルサーチ周波数帯または初期同期信号によって特定された周波数帯で第２同期信号（例えばＳＳＣ２３４）を受信するモジュール１２０４と、共通のセルサーチ周波数帯または同期信号によって特定された周波数帯に中心を置かれた参照信号（たとえばＲＳ２３６）を受信するモジュール１２０６と、参照信号からシステム帯域幅情報を取得するモジュール１２０８とを含む。
【００７９】
ここに記載の形態はハードウエア、ソフトウエア、ファームウエア、ミドルウエア、マイクロコードあるいはそれらの組み合わせによって実施可能であることを理解されたい。システムおよび／または方法がソフトウエア、ファームウエア、ミドルウエアまたはマイクロコード、ログラムコードまたはコードセグメントにおいて実施されるとき、格納コンポーネントのような機械可読媒体に格納されることができる。コードセグメントは手続き、機能、サブプログラム、プログラム、ルーチン、サブルーチン、モジュール、ソフトウエアパッケージ、クラス、あるいは命令、データ構成またはプログラムセグメントの任意の組み合わせを代表することができる。コードセグメントはもう１つのコードセグメント、あるいは情報、データ、議論、パラメータまたはメモリコンテンツをパスおよび／または受信することによってハードウエア回路に結合可能である。情報、議論、パラメータ、データなどはメモリ共有、メッセージ受け渡し、トークン受け渡し、ネットワーク送信などを含む任意の適切な手段を用いてパス、転送あるいは送信可能である。
【００８０】
ソフトウエアの実施に関して、ここに記載の技術はここに記載の機能を実行するモジュール（例えば手続き、機能など）を用いて実施可能である。ソフトウエアコードはメモリユニットに格納され、プロセッサによって実行可能である。メモリユニットはプロセッサ内で、あるいはメモリが本分野で周知の様々な手段を介してプロセッサに通信可能に結合されることができるプロセッサの外部で実施可能である。
【００８１】
上述されてきたことは１つ以上の形態の例を含む。勿論、上述の形態を説明する目的でコンポーネントまたは方法論のあらゆる考えられる組み合わせを記載することは不可能であるが、当業者は様々な側面の多くの更なる組み合わせおよび置換が可能であることを理解するであろう。従って記載された形態は、添付の請求項の精神および範囲内にある全てのそのような代替、改良および変更を包囲することを意図する。更に「含む」という用語が詳細な説明または請求項のいずれかにおいて使用される程度において、そのような用語は「備える」が請求項において移行的単語として用いられる際に解釈されるように「備える」という用語と同様に包括的であることを意図する。さらに詳細な説明または請求項のいずれかにおいて使用される「または」という用語は「非排他的または」であることを意味する。
以下に、本願の当初の特許請求の範囲に記載された発明を付記する。
［１］
無線通信システムにおいて参照信号を構成する方法であって、
参照信号の中央部分を生成することと、なお、前記中央部分は、前記参照信号が送信されるべき端末に知られており、全システム帯域幅のサブセットである周波数帯に及ぶ；
前記参照信号が前記全システム帯域幅に及ぶように、前記生成された中央部分に基づいて前記参照信号を生成することと；
を備えた方法。
［２］
前記参照信号を生成することは、前記全システム帯域幅を介して前記生成された中央部分を少なくとも部分的に繰り返すことによって前記参照信号を生成することを備える、［１］に記載の方法。
［３］
前記参照信号を生成することは、前記全システム帯域幅を介して前記生成された中央部分を少なくとも部分的に拡張することによって前記参照信号を生成することを備える、［１］に記載の方法。
［４］
前記中央部分はセルサーチ動作用のデフォルト周波数帯に及ぶ、［１］に記載の方法。
［５］
前記端末に１以上の同期コードを送信することを更に備え、前記同期コードは前記全システム帯域幅に関する情報を供給する、［１］に記載の方法。
［６］
前記全システム帯域幅に関する前記情報は所定の帯域幅閾値に対する前記全システム帯域幅の比較を備える、［５］に記載の方法。
［７］
前記全システム帯域幅に関する前記情報は、前記全システム帯域幅が前記所定の帯域幅閾値より大きいかまたは等しいことを示し、前記生成された中央部分は前記所定の帯域幅閾値に対応する周波数帯に及ぶ、［６］に記載の方法。
［８］
前記全システム帯域幅に関する前記情報は、前記全システム帯域幅が前記所定の帯域幅閾値未満であることを示し、前記生成された中央部分はセルサーチ動作用の共通の周波数帯に及ぶ、［６］に記載の方法。
［９］
前記全システム帯域幅を介して前記参照信号を送信することをさらに備える、［１］に記載の方法。
［１０］
前記中央部分は１．０８メガヘルツの帯域幅に及ぶ、［１］に記載の方法。
［１１］
前記中央部分は１．２５メガヘルツの帯域幅に及ぶ、［１］に記載の方法。
［１２］
ユーザ装置に知られているシステム帯域幅と前記システム帯域幅のサブセットとに関するデータを格納するメモリと；
前記システム帯域幅から独立した前記ユーザ装置において参照信号の検出を容易にするために、前記ユーザ装置に知られている前記システム帯域幅の前記サブセットに中心を置かれた共通部分を有する前記参照信号を生成するように構成されたプロセッサと；
を備えた無線通信装置。
［１３］
前記プロセッサは、時間および周波数の二次元ブロックとして前記参照信号の前記共通部分を生成し、前記システム帯域幅に及ぶように前記共通部分を拡張することによって前記参照信号を生成するようにさらに構成された、［１２］に記載の無線通信装置。
［１４］
前記プロセッサは、前記システム帯域幅を介して周波数の前記共通部分を並べることによって前記参照信号の前記共通部分を拡張するようにさらに構成された、［１３］に記載の無線通信装置。
［１５］
前記プロセッサは、前記共通部分および前記生成された拡張が前記システム帯域幅に及ぶように周波数の前記共通部分に拡張を生成することによって前記参照信号の前記共通部分を拡張するようにさらに構成された、［１３］に記載の無線通信装置。
［１６］
前記ユーザ装置に知られている前記システム帯域幅の前記サブセットはセルサーチ動作用のデフォルトの周波数帯である、［１２］に記載の無線通信装置。
［１７］
前記セルサーチ動作用の前記デフォルトの周波数帯は１．０８メガヘルツの帯域幅に及ぶ、［１６］に記載の無線通信装置。
［１８］
前記セルサーチ動作用の前記デフォルトの周波数帯は１．２５メガヘルツの帯域幅に及ぶ、［１６］に記載の無線通信装置。
［１９］
前記メモリは前記システム帯域幅に関する情報を供給する１以上の同期信号に関するデータをさらに格納し、前記プロセッサは前記ユーザ装置に前記１以上の信号を送信するようにさらに構成された、［１２］に記載の無線通信装置。
［２０］
前記信号は、前記システム帯域幅が帯域幅閾値より大きいかまたは等しいという指示を提供し、それによって前記ユーザ装置に知られている前記システム帯域幅の前記サブセットを前記帯域幅閾値に対応する周波数帯にする、［１９］に記載の無線通信装置。
［２１］
前記信号は前記システム帯域幅が帯域幅閾値未満であるという指示を提供し、それによって前記ユーザ装置に知られている前記システム帯域幅の前記サブセットをセル獲得用の共通周波数帯にする、［１９］に記載の無線通信装置。
［２２］
前記プロセッサは、前記システム帯域幅の前記ユーザ装置への前記参照信号の送信を命令するようさらに構成された、［１２］に記載の無線通信装置。
［２３］
無線通信システムにおいてセル獲得を容易にする装置であって、
少なくとも部分的に、システム帯域幅内の、端末に知られている周波数帯を介して、参照信号の共通部分を生成し、前記システム帯域幅を介して前記参照信号の前記共通部分をコピーすることと前記システム帯域幅を介して前記参照信号の前記共通部分を拡張することからなるグループから選択される動作を実行することによって、前記端末への送信のための前記参照信号を生成する手段と；
前記システム帯域幅を介して前記端末に前記参照信号を送信する手段と；
を備えた装置。
［２４］
コンピュータに参照信号を生成させるコードと、なお、前記参照信号はシステム帯域幅に及び、前記システム帯域幅から独立した前記端末において前記参照信号の検出を容易にするために、前記端末に知られている前記システム帯域幅のサブセットに中心を置かれた共通部分を有する;
コンピュータに前記システム帯域幅を介して前記端末に前記参照信号を送信させるコードと；
を備えたコンピュータ可読媒体。
［２５］
セル獲得用の参照信号を設計するためのコンピュータ実行可能な命令を実行する集積回路であって、前記命令は、
ユーザ装置に知られている周波数帯に及ぶ共通信号を構成することと、なお、前記ユーザ装置に知られている前記周波数帯はシステム帯域幅のサブセットである；
前記システム帯域幅を介して周波数で前記共通信号を並べることと、前記システム帯域幅に亘って前記共通信号を拡張することとからなるグループから選択される動作を少なくとも部分的に実行することによって参照信号を構成することと、なお、前記動作は前記ユーザ装置による前記参照信号の帯域幅不可知検出を可能にする；
を備える、
集積回路。
［２６］
無線通信システムにおいてセル獲得を実行するための方法であって、
既知の周波数帯を特定することと、なお、前記既知の周波数帯は全システム帯域幅のサブセットである；
前記既知の周波数帯に及ぶ参照信号の中央部分を少なくとも部分的に受信することによって、前記全システム帯域幅に及ぶ前記参照信号を検出することと；
を備えた方法。
［２７］
前記既知の周波数帯を特定することは、セル獲得動作用のデフォルトの周波数帯を特定することを備える、［２６］に記載の方法。
［２８］
前記既知の周波数帯を特定することは、
セル獲得動作用のデフォルトの周波数帯の１以上の同期コードを受信することと；
前記同期コードに基づいて前記既知の周波数帯を特定することと；
を備える、［２６］に記載の方法。
［２９］
前記既知の周波数帯を特定することは、
前記システム帯域幅が閾値帯域幅より大きいまたは等しいという指示を取得することと；
前記閾値帯域幅を前記既知の周波数帯として特定することと；
を更に備える、［２８］に記載の方法。
［３０］
前記既知の周波数帯を特定することは、
前記システム帯域幅が閾値帯域幅未満であるという指示を取得することと；
前記閾値帯域幅をセル獲得動作用の前記デフォルトの周波数帯として特定することと；
をさらに備える、［２８］に記載の方法。
［３１］
少なくとも部分的に前記参照信号に基づいて前記システム帯域幅を決定することをさらに備えた、［２６］に記載の方法。
［３２］
前記参照信号を検出することは、
一連の所定の均一な時間期間にわたって前記参照信号のコーヒレント検出を実行することと；
前記時間期間にわたる前記コーヒレント検出から取得された部分的結果をコーヒレントに組み合わせることと；
を備える、［２６］に記載の方法。
［３３］
前記参照信号を検出することは、
一連の所定の均一な時間期間にわたって前記参照信号のコーヒレント検出を実行することと；
前記時間期間にわたる前記コーヒレント検出から取得された部分的結果を非コーヒレントに組み合わせることと；
を備える、［２６］に記載の方法。
［３４］
前記参照信号を検出することは、
一連の所定の均一な時間期間にわたって前記参照信号の非コーヒレント検出を実行することと；
前記時間期間にわたる前記非コーヒレント検出から取得された部分的結果を非コーヒレントに組み合わせることと；
を備える、［２６］に記載の方法。
［３５］
システム帯域幅の既知のサブセットに関するデータを格納するメモリと；
前記システム帯域幅の前記既知のサブセットに及ぶ参照信号の一部を少なくとも部分的に検出することによって、前記システム帯域幅に及ぶ前記参照信号を検出するように構成されたプロセッサと；
を備えた無線通信装置。
［３６］
前記システム帯域幅の前記既知のサブセットはセルサーチ信号の共通の帯域幅である、［３５］に記載の無線通信装置。
［３７］
前記システム帯域幅の前記既知のサブセットは１．０８メガヘルツを備える、［３５］に記載の前記無線通信装置。
［３８］
前記システム帯域幅の前記既知のサブセットは１．２５メガヘルツを備える、［３５］に記載の無線通信装置。
［３９］
前記メモリはセルサーチ帯域幅に関するデータをさらに格納し、前記プロセッサは前記セルサーチ帯域幅を介して１つ以上の同期信号を受信して、前記同期信号に基づいて前記システム帯域幅の前記既知のサブセットを取得するようにさらに構成された、［３５］に記載の無線通信装置。
［４０］
前記同期信号は前記システム帯域幅が閾値より大きいかまたは等しいという指示を備え、前記プロセッサは前記システム帯域幅の前記既知のサブセットとして前記閾値に対応する周波数帯の保存を指図するようにさらに構成された、［３９］に記載の無線通信装置。
［４１］
前記同期信号は前記システム帯域幅が閾値未満であるとういう指示を備え、前記プロセッサは前記システム帯域幅の前記既知のサブセットとして前記セルサーチ帯域幅の保存を指図するようにさらに構成された、［３９］に記載の無線通信装置。
［４２］
前記プロセッサは前記参照信号に少なくとも部分的に基づいて前記システム帯域幅を決定するようにさらに構成された、［３５］に記載の無線通信装置。
［４３］
無線通信システムにおいてセル獲得の参照信号の検出を容易にする装置であって、
第１の周波数帯で１つ以上の同期コードを受信する手段と；
前記同期コードが第２の周波数帯に関する情報を備えるか否かを決定する手段と；
前記第１の周波数帯と前記第２の周波数帯からなるグループから選択される周波数帯に中心を置かれる参照信号を受信する手段と、なお、前記周波数帯は前記同期コードが前記第２の周波数帯に関する情報を備えるか否かの前記決定に少なくとも部分的に基づいて選択される；
を備えた装置。
［４４］
コンピュータに参照信号が送信可能である周波数帯を特定させるコードと、なお、前記特定された周波数帯は全システム帯域幅のサブセットである；
コンピュータに前記システム帯域幅に及びかつ前記特定された周波数帯に中心を置かれた参照信号を検出させるコードと；
を備えたコンピュータ可読媒体。
［４５］
無線通信システムにおいてセルサーチを実行するためのコンピュータ実行可能な命令を実行する集積回路であって、
システム帯域幅内の周波数リソースの既知のセットを決定することと；
前記周波数リソースの前記既知のセットに中心を置かれた参照信号の一部を少なくとも部分的に検出することによって前記システム帯域幅を占有する前記参照信号を受信することと；
を備えた集積回路。
【図１】
0005805686.tif 000002
【図２】
0005805686.tif 000003
【図３】
0005805686.tif 000004
【図４】
0005805686.tif 000005
【図５Ａ】
0005805686.tif 000006
【図５Ｂ】
0005805686.tif 000007
【図６Ａ】
0005805686.tif 000008
【図６Ｂ】
0005805686.tif 000009
【図６Ｃ】
0005805686.tif 000010
【図７】
0005805686.tif 000011
【図８】
0005805686.tif 000012
【図９Ａ】
0005805686.tif 000013
【図９Ｂ】
0005805686.tif 000014
【図９Ｃ】
0005805686.tif 000015
【図１０】
0005805686.tif 000016
【図１１】
0005805686.tif 000017
【図１２】
0005805686.tif 000018